(57)【特許請求の範囲】
【請求項１】
複数の孔が分布して設けられた有孔鋼板を、隣り合う木質の柱間に配置してなる耐力壁であって、
前記有孔鋼板は両側縁に柱側面に接して固着具で固定される折り曲げ部を有し、前記折り曲げ部はその先端部で内側に折り返して重ねた２重折り曲げ部とされていることを特徴とする耐力壁。
【請求項２】
請求項１において、前記固着具が、前記有孔鋼板の前記２重折り曲げ部を貫通して前記柱にねじ込まれたドリル付き木工用ビスである耐力壁。
【請求項３】
請求項１または請求項２において、前記２重折り曲げ部が、前記柱への取付前の自然状態で、前記柱側面に接する外側折り曲げ片と前記内側へ折り返された内側折り返し片との間に隙間を形成した断面溝形であり、前記固着具で前記柱に固定された状態では、この固着具で固定された部分で前記内側折り返し片が前記外側折り曲げ片に接触して断面三角形状となる耐力壁。
【請求項４】
請求項１ないし請求項３のいずれか１項において、隣り合う木質の柱間に、前記有孔鋼板を複数枚隙間を介して重ねて配置した耐力壁。
【発明の詳細な説明】
【技術分野】
【０００１】
この発明は、木造軸組造等の柱間に設置される有孔鋼板を用いた耐力壁に関する。
【背景技術】
【０００２】
従来、複数の孔が分布して設けられた有孔鋼板を用いた耐力壁として、図７のように、鉄骨軸組造の柱２０，２０間に有孔鋼板２１を配置して、これをビス２２で止め付けた構成のものが知られている。同図の場合、角形鋼管からなる柱２０の側面に溝形鋼からなるパネルフレーム２３を配置し、このパネルフレーム２３の内向きに突出するフランジ部２３ａの外向き面に有孔鋼板２１を重ね、これをビス２２でフランジ部２３ａに止め付けている。
【先行技術文献】
【特許文献】
【０００３】
【特許文献１】特許第３７３７３６８号公報
【発明の概要】
【発明が解決しようとする課題】
【０００４】
上記した有孔鋼板を用いた耐力壁を木造軸組工法に転用する場合、例えば図８のように、隣り合う木質の柱３０，３０間に配置した有孔鋼板２１を、各柱３０の外向き面に重ねてビス２２で止め付ける構造が考えられる。しかし、この構造の場合、柱３０の外向き面側にビス頭が露出するため、外装材や内装材を重ねて施工する際に納まりが悪いという問題がある。
【０００５】
上記課題を解決するために、例えば図９（Ａ）のように、有孔鋼板２１の両側縁を折り曲げて各柱３０の側面に接する折り曲げ部２１ａとすることで、両柱３０，３０間に有孔鋼板２１を真壁仕様で納まるように配置し、前記折り曲げ部２１ａをビス２２で柱３０の側面に止め付ける構造を考えた。この構造の場合、柱３０の外向き面にビス頭が露出するのを解消できるが、図９（Ｂ）のように水平荷重Ｆを受けた場合に、有孔鋼板２１の折り曲げ部２１ａが柱３０の側面から浮き上がってしまい、止め付け強度が低下するという問題がある。さらに、柱３０がやせた場合にも、柱３０の側面と有孔鋼板２１の折り曲げ部２１ａとの間に隙間が生じてしまう。
【０００６】
この発明の目的は、壁表面に固着具の頭が露出せず、固着具の止め付け強度も十分に確保することができる有孔鋼板を用いた耐力壁を提供することである。
【課題を解決するための手段】
【０００７】
この発明の耐力壁は、複数の孔が分布して設けられた有孔鋼板を、隣り合う木質の柱間に配置してなる耐力壁であって、前記有孔鋼板は両側縁に柱側面に接して固着具で固定される折り曲げ部を有し、前記折り曲げ部はその先端部で内側に折り返して重ねた２重折り曲げ部とされていることを特徴とする。
この構成によると、隣り合う木質の柱間に配置される有孔鋼板が、その両側縁に、柱側面に接して固着具で固定される折り曲げ部を有するので、壁表面に固着具の頭部を露出させることなく、有孔鋼板を柱に固定することができ、外装材や内装材を重ねて施工する場合でも納まり良く施工できる。特に、前記折り曲げ部は、その先端部で内側へ折り返して重ねた２重折り曲げ部とされているので、柱の木痩せによる固着具の緩みを防ぐことができ、固着具の柱への止め付け強度を十分に確保することができる。また、有孔鋼板の主面部を薄板としたまま接合部である折り曲げ部を補強できるため、構造性能（水平荷重−変形関係など）をコントロールし易くなる。また、補助部材を併用することなく、有孔鋼板のみで柱へ固定できるので、柱の高さが変化しても容易に対応することができ、施工性が高まる。
【０００８】
この発明において、前記固着具が、前記有孔鋼板の前記２重折り曲げ部を貫通して前記柱にねじ込まれたドリル付き木工用ビスであっても良い。
【０００９】
この発明において、前記２重折り曲げ部が、前記柱への取付前の自然状態で、前記柱側面に接する外側折り曲げ片と前記内側へ折り返された内側折り返し片との間に隙間を形成した断面溝形であり、前記固着具で前記柱に固定された状態では、この固着具で固定された部分で前記内側折り返し片が前記外側折り曲げ片に接触して断面三角形状となるものとしても良い。
この構成の場合、前記折り曲げ部は、柱への取付前の自然状態で、柱側面に接する外側折り曲げ片と内側へ折り返された内側折り返し片との間に隙間を有する断面溝形とされているので、固着具で柱に固定した状態では前記隙間がなくなり、固着具の緩み止め効果が上がる。そのため、柱への止め付け強度をさらに高めることができる。さらに、前記折り曲げ部は、固着具で柱に固定された状態では、この固着具で固定された部分で前記内側折り返し片が前記外側折り曲げ片に接触して断面三角形状となることから、水平方向の荷重を受けた時に折り曲げ部が柱側面から浮き上がるのを、前記断面三角形状の構造部により軽減することができ、この点からも柱への止め付け強度をさらに高めることができる。
【００１０】
この発明において、隣り合う木質の柱間に、前記有孔鋼板を複数枚隙間を介して重ねて配置しても良い。
このように、必要な耐力に応じて有孔鋼板の枚数を加減することにより、耐力をコントロールすることができる。
【発明の効果】
【００１１】
この発明の耐力壁は、複数の孔が分布して設けられた有孔鋼板を、隣り合う木質の柱間に配置してなる耐力壁であって、前記有孔鋼板は両側縁に柱側面に接して固着具で固定される折り曲げ部を有し、前記折り曲げ部はその先端部で内側に折り返して重ねた２重折り曲げ部とされているため、壁表面に固着具の頭が露出せず、固着具の止め付け強度も十分に確保することができる。
【図面の簡単な説明】
【００１２】
【図１】この発明の一実施形態にかかる耐力壁の水平断面図である。
【図２】（Ａ）は同耐力壁の柱への取付前の状態を示す部分拡大断面図、（Ｂ）は同耐力壁の柱への取付後状態を示す部分拡大断面図である。
【図３】（Ａ）は同耐力壁に用いる有孔鋼板の一例の正面図、（Ｂ）は同側面図、（Ｃ）は同底面図、（Ｄ）は（Ｃ）におけるＥ部の拡大図である。
【図４】（Ａ）は図３の有孔鋼板を用いた耐力壁の具体例を示す正面図、（Ｂ）は同平面図、（Ｃ）は（Ａ）のIVc −IVc 矢視断面図、（Ｄ）はIVd −IVd 矢視断面図である。
【図５】（Ａ）は同耐力壁の有孔鋼板を１枚配置した例の斜視図、（Ｂ），（Ｃ）はは同耐力壁の有孔鋼板を複数枚配置した例の斜視図である。
【図６】同耐力壁の他の実施形態を示す斜視図である。
【図７】従来例の水平断面図である。
【図８】提案例の水平断面図である。
【図９】（Ａ）は他の提案例の水平断面図、（Ｂ）は同提案例が水平荷重を受けた場合の水平断面図である。
【発明を実施するための形態】
【００１３】
この発明の一実施形態を図１ないし図５と共に説明する。図１はこの発明の耐力壁の一実施形態の水平断面図を示し、図２はその一部を拡大して示す。この実施形態の耐力壁１は、複数の孔２ａが分布して設けられた有孔鋼板２を、木造軸組造における隣り合う木質の柱１０，１０間に配置して構成されたものである。有孔鋼板２は、その両側縁に前記柱１０の側面に接してビスなどの固着具４で固定される折り曲げ部３を有する。折り曲げ部３は、その先端部で内側に折り返して重ねた２重折り曲げ部である。
【００１４】
前記折り曲げ部３は、より具体的には、図２（Ａ）に拡大して示すように、柱１０への取付前の自然状態では柱１０の側面に接する外側折り曲げ片３ａと、この外側折り曲げ片３ａの先端から内側へ折り返された内側折り返し片３ｂとの間に隙間Ｇを有する断面溝形とされている。外側折り曲げ片３ａおよび内側折り返し片３ｂには、互いに重なる位置に前記固着具４を挿通させる挿通孔５が設けられている。固着具４は、木ねじ等である。固着具４として、有孔鋼板２の折り曲げ部３を貫通して柱１０にねじ込まれるドリル付き木工用ビスを用いた場合は、固着具４のねじ込み前の挿通孔５の形成は不要である。
【００１５】
前記有孔鋼板２の具体例を図３に示す。図３（Ａ）は同有孔鋼板２の正面図、図３（Ｂ）は同側面図、図３（Ｃ）は底面図であり、図３（Ｃ）のＥ部を拡大して図３（Ｄ）に示している。ここでは，有孔鋼板２の孔２ａは丸孔とされている。図４には、木造軸組造の建物に用いた前記耐力壁１の具体例を示す。図４（Ａ）は同耐力壁１の正面図、図４（Ｂ）は同平面図、図４（Ｃ）は図４（Ａ）のIVc −IVc 矢視断面図、図４（Ｄ）は図４（Ａ）のIVd −IVd 矢視断面図である。図４において、隣り合う木質の柱１０の上端は柱・梁接合金物６，７を介して木質の上側梁１１に接合されている。また、各柱１０の下端は、別の柱・梁接合金物８を介して形鋼などからなる下側梁１２に接合されている。上側梁１１および下側梁１２は、木質の梁であるが、形鋼製であっても良い。また、下側梁１２は形鋼製の土台であってもよい。
【００１６】
この耐力壁１によると、隣り合う木質の柱１０，１０間に配置される有孔鋼板２が、その両側縁に、柱１０の側面に接して固着具４で固定される折り曲げ部３を有するので、壁表面に固着具４の頭部を露出させることなく、有孔鋼板２を柱１０に固定することができる。そのため、外装材や内装材を重ねて施工する場合でも納まり良く施工できる。特に、前記折り曲げ部３は、その先端部で内側へ折り返して重ねた２重折り曲げ部とされているので、柱１０の木痩せによる固着具４の緩みを防ぐことができ、固着具４の柱１０への止め付け強度を十分に確保することができる。
【００１７】
具体的には、前記折り曲げ部３は、柱１０への取付前の自然状態で、図２（Ａ）のように柱１０の側面に接する外側折り曲げ片３ａと内側へ折り返された内側折り返し片３ｂとの間に隙間Ｇを有する断面溝形とされているので、固着具４で柱１０に固定した状態では前記隙間Ｇがなくなり、固着具４の緩み止め効果が上がるので、柱１０への止め付け強度をさらに高めることができる。さらに、前記折り曲げ部３は、図２（Ｂ）のように固着具４で柱１０に固定された状態では、この固着具４で固定された部分で前記内側折り返し片３ｂが前記外側折り曲げ片３ａに接触して断面三角形状となることから、水平方向の荷重を受けた時に折り曲げ部３が柱１０の側面から浮き上がるのを、前記断面三角形状の構造部により軽減することができ、この点からも柱１０への止め付け強度をさらに高めることができる。また、有孔鋼板２の主面部を薄板としたまま接合部である折り曲げ部３を補強できるため、構造性能（水平荷重−変形関係など）をコントロールし易くなる。また、補助部材を併用することなく、有孔鋼板２のみで柱１０へ固定できるので、柱１０の高さが変化しても容易に対応することができ、施工性が高まる。
【００１８】
なお、図１では、一枚の有孔鋼材２を、その折り曲げ部３が柱１０の外向き面とは反対側に向くように配置して、有孔鋼板２の主要面を柱１０の外向き面に揃えた例を示したが、図５（Ａ）のように、折り曲げ部３が柱１０の外向き面側に向くように有孔鋼板２を配置して、有孔鋼板２の主要面を柱１０の外向き面から後退させても良い。また、図５（Ｂ），（Ｃ）のように、隣り合う柱１０，１０の間に複数枚の有孔鋼板２を重ねて配置しても良く、必要な耐力に応じて有孔鋼板２の枚数を加減することにより、耐力をコントロールすることができる。
【００１９】
図６は、この発明の他の実施形態を示す。この耐力壁１では、有孔鋼板２として、スッリット状の複数の孔２ａが分布して設けられたものを用いている。その他の構成は、図１〜図５に示した実施形態の場合と同様である。
【符号の説明】
【００２０】
１…耐力壁
２…有孔鋼板
２ａ…孔
３…折り曲げ部
３ａ…外側折り曲げ片                                                            ３ｂ…内側折り返し片
４…固着具
１０…柱
Ｇ…隙間
【図１】
0005921954.tif 000002
【図２】
0005921954.tif 000003
【図３】
0005921954.tif 000004
【図４】
0005921954.tif 000005
【図５】
0005921954.tif 000006
【図６】
0005921954.tif 000007
【図７】
0005921954.tif 000008
【図８】
0005921954.tif 000009
【図９】
0005921954.tif 000010